(57)【要約】【課題】  放送信号を利用した番組コンテンツの放送ダウンロードサービスにおいて、配信頻度に基づいてダウンロードすべき番組コンテンツを適切に選択することが可能な放送受信装置及びその制御方法を提供する。【解決手段】  本発明の放送受信装置１００では、配信頻度算出部１０９は、取得された配信スケジュール情報を用いて、各番組コンテンツが所定の期間内に繰り返し配信される頻度（配信頻度）を算出する（Ｓ２０２）。番組選択部１１０は、各番組コンテンツの配信頻度を所定値Ｘとを比較して、各番組コンテンツを自動的にダウンロードすべきか否かを判定する（Ｓ２０３）。蓄積制御部１１１は、ダウンロードすべきであると判定された番組コンテンツを、放送信号を介してダウンロードして蓄積部１１２へ蓄積する制御を行う（Ｓ２０４，Ｓ２０５）。【選択図】  図２
2011010110.tif 000002
【特許請求の範囲】
【請求項１】
デジタル放送信号を受信する放送受信装置であって、
デジタル放送信号で配信される予定の番組コンテンツの配信スケジュール情報を取得する取得手段と、
前記取得手段により取得された配信スケジュール情報を用いて、各番組コンテンツについて所定の期間内に繰り返し配信される回数を示す配信頻度を算出する算出手段と、
前記算出手段により算出された各番組コンテンツの配信頻度に基づいて、デジタル放送信号で配信される予定の番組コンテンツのうちダウンロードすべき番組コンテンツを選択する選択手段と、
前記選択手段により選択された番組コンテンツを蓄積部にダウンロードする制御を行う蓄積制御手段とを備える放送受信装置。
【請求項２】
前記選択手段は、前記算出手段により算出された配信頻度が所定値以上の番組コンテンツを、前記ダウンロードすべき番組コンテンツとして選択することを特徴とする請求項１に記載の放送受信装置。
【請求項３】
配信頻度の高い番組コンテンツをダウンロードする第１モードと、配信頻度の低い番組コンテンツをダウンロードする第２モードを有し、
前記選択手段は、
前記第１モードに設定されている場合は、配信頻度が所定値以上の番組コンテンツを、前記ダウンロードすべき番組コンテンツとして選択し、
前記第２モードに設定されている場合は、配信頻度が所定値以下の番組コンテンツを、前記ダウンロードすべき番組コンテンツとして選択することを特徴とする請求項１に記載の放送受信装置。
【請求項４】
デジタル放送信号を受信する放送受信装置の制御方法であって、
デジタル放送信号で配信される予定の番組コンテンツの配信スケジュール情報を取得する取得ステップと、
前記取得ステップで取得された配信スケジュール情報を用いて、各番組コンテンツについて所定の期間内に繰り返し配信される回数を示す配信頻度を算出する算出ステップと、
前記算出ステップで算出された各番組コンテンツの配信頻度に基づいて、デジタル放送信号で配信される予定の番組コンテンツのうちダウンロードすべき番組コンテンツを選択する選択ステップと、
前記選択ステップで選択された番組コンテンツを蓄積部にダウンロードする制御を行う蓄積制御ステップとを有する放送受信装置の制御方法。
【発明の詳細な説明】
【技術分野】
【０００１】
本発明は、デジタル放送信号を受信する放送受信装置及びその制御方法に関する。
【背景技術】
【０００２】
現在、過去に放送された番組コンテンツを、インターネット回線を利用して有料配信する配信サービスが行われている。このような配信サービスを利用すれば、ユーザは放送時間に縛られることなく、ＶＯＤ（ビデオオンデマンド）で自分の見たい時に見たい番組を視聴することが可能となる。
【０００３】
近年、衛星放送（高度衛星デジタル放送）を利用して番組コンテンツを高速にダウンロードすることができる放送ダウンロードサービスが検討されている。放送衛星の高速伝送路を利用することにより、高画質・高音質の番組コンテンツを高速（例：７０Ｍｂｐｓ程度）にダウンロードできることが期待されている。また、通信回線を使ったＶＯＤサービスやダウンロードサービスと仕様を共通化する（インターネットプロトコルを基盤とする）ことにより、衛星放送と通信回線をシームレスに利用できることが期待されている。このような放送波（放送信号）を利用した放送ダウンロードサービスでは、番組コンテンツを多数の放送受信装置へ一斉に配信するため、予めスケジュールされた配信期間内だけ番組コンテンツをダウンロード可能にするといった制限が設けられる。配信側は同じ番組コンテンツをある期間内に繰り返して配信し、ユーザは配信される複数の番組コンテンツの中からいくつかの番組コンテンツを選択して放送受信装置内にダウンロードするような運用形態が想定される。また、人気の高い番組コンテンツをより高い頻度で繰り返し配信することにより、ダウンロード機会を多くするといった運用も考えられる。
【０００４】
ここで、ユーザがダウンロードしたい番組コンテンツを選択するという煩わしさを解消するために、配信される番組コンテンツを全てダウンロードするという方法も考えられるが、蓄積容量が圧迫されてしまうという課題が生じる。そこで、配信頻度の異なる番組コンテンツの放送ダウンロードサービスにおいては、配信頻度に基づいてダウンロードすべき番組コンテンツを選択することが望ましいと考えられる。
【０００５】
従来より、過去の視聴履歴などの情報に基づいて、ユーザの趣向に合った放送番組を自動的に録画する技術が提案されている（特許文献１参照）。
【０００６】
また下記の特許文献２には、番組関連データを必要とする時刻までに受信装置がダウンロードを完了するために、送出装置が番組関連データの送出スケジュールと番組関連データとを送出する技術が開示されている。
【先行技術文献】
【特許文献】
【０００７】
【特許文献１】特開２００１−１８６４５３号公報
【特許文献２】特開２００１−０５３６９７号公報
【発明の概要】
【発明が解決しようとする課題】
【０００８】
しかしながら、上述の特許文献１は、放送波（放送信号）を利用した、配信頻度の異なる番組コンテンツの放送ダウンロードサービスを想定したものではない。上述の特許文献２では、受信装置が番組関連データの送出スケジュール情報を取得して、放送を通じた番組関連データ（アプリケーション・プログラム）のダウンロードを効率的に、且つ確実に実施すること開示されている。しかし、番組関連データを確実にダウンロードするための技術であって、配信頻度に基づいてダウンロードすべき番組コンテンツを選択するというようなことは開示されていない。
【０００９】
そこで、本発明は、放送信号を利用した番組コンテンツの放送ダウンロードサービスにおいて、配信頻度に基づいてダウンロードすべき番組コンテンツを適切に選択することが可能な放送受信装置及びその制御方法を提供することを目的とする。
【課題を解決するための手段】
【００１０】
上述した課題を解決するために、本発明に係る放送受信装置は、デジタル放送信号を受信する放送受信装置であって、デジタル放送信号で配信される予定の番組コンテンツの配信スケジュール情報を取得する取得手段と、前記取得手段により取得された配信スケジュール情報を用いて、各番組コンテンツについて所定の期間内に繰り返し配信される回数を示す配信頻度を算出する算出手段と、前記算出手段により算出された各番組コンテンツの配信頻度に基づいて、デジタル放送信号で配信される予定の番組コンテンツのうちダウンロードすべき番組コンテンツを選択する選択手段と、前記選択手段により選択された番組コンテンツを蓄積部にダウンロードする制御を行う蓄積制御手段とを備える。
【発明の効果】
【００１１】
本発明によれば、配信頻度に基づいてダウンロードすべき番組コンテンツを適切に選択することが可能な放送受信装置及びその制御方法を提供することが可能となる。
【図面の簡単な説明】
【００１２】
【図１】本発明の実施の形態１に係る放送受信装置の構成を示すブロック図である。
【図２】配信頻度に基づいて番組コンテンツを選択してダウンロードする処理について説明するためのフロー図である。
【図３】番組コンテンツＡ〜Ｅの配信スケジュールおよびダウンロード実行例、ダウンロード待ち時間について説明するための図である。
【図４】本発明の実施の形態２に係る放送受信装置の構成を示すブロック図である。
【図５】実施の形態２におけるダウンロード処理について説明するためのフロー図である。
【図６】番組コンテンツＡ〜Ｅの配信スケジュール、および待ち時間低減蓄積モードでのダウンロード実行例、ダウンロード待ち時間について説明するための図である。
【発明を実施するための形態】
【００１３】
以下、図面を用いて本発明の実施の形態について説明する。
【００１４】
（実施の形態１）
図１は、本発明の実施の形態１に係る放送受信装置１００の構成を示すブロック図である。放送受信装置１００は、チューナ部１０１、分離部１０２、デコード部１０３、音声出力部１０４、合成部１０５、映像出力部１０６、ＵＩ制御部１０７を備える。また、放送受信装置１００は、スケジュール取得部１０８、配信頻度算出部１０９、番組選択部１１０、蓄積制御部１１１、蓄積部１１２、再生制御部１１３、リモコン受信部１１４を備える。
【００１５】
アンテナで受信されたデジタル放送信号は、チューナ部１０１に入力される。チューナ部１０１は、デジタル放送信号を受信して、選局、復調、誤り訂正等の処理を施し、トランスポートストリーム（ＴＳ）を生成する。分離部１０２は、チューナ部１０１により生成されたトランスポートストリームに分離処理（ＤｅＭＵＸ処理）、映像データ、音声データ、配信スケジュール情報を含む番組関連情報に分離する。
【００１６】
デコード部１０３は、分離部１０２により分離された映像データおよび音声データをそれぞれデコード処理（復号化処理）する。音声出力部１０４は、デコード部１０３によりデコードされた音声データを、スピーカ等へ出力する。
【００１７】
リモコン受信部１１４は、リモコンからの指示信号を受信して、ＵＩ制御部１０７に伝達する。ＵＩ制御部１０７は、指示信号にしたがって、ユーザへ提示するメニュー画面などのグラフィックスデータを生成する。合成部１０５は、デコード部１０３によりデコードされた映像データに、ＵＩ制御部１０７により生成されたグラフィックスデータを合成して出力する。映像出力部１０６は、合成部１０５から出力された映像データを表示部（表示パネル等）へ出力する。
【００１８】
スケジュール取得部１０８は、分離部１０２により分離された番組関連情報から、デジタル放送信号を利用して配信される予定の各番組コンテンツの配信スケジュール情報を取得する。配信頻度算出部１０９は、スケジュール取得部１０８により取得された配信スケジュール情報を用いて、各番組コンテンツが所定の期間内に繰り返し配信される頻度（配信頻度）を算出する。
【００１９】
番組選択部１１０は、配信頻度算出部１０９により算出された各番組コンテンツの配信頻度に基づいて、自動的にダウンロードすべき番組コンテンツを選択する。具体的には、各番組コンテンツの配信頻度を予め定められた所定値Ｘとを比較して、各番組コンテンツを自動的にダウンロードすべきか否かを判定する。蓄積制御部１１１は、番組選択部１１０によってダウンロードすべきであると判定された番組コンテンツを、放送信号を介してダウンロードして蓄積部１１２へ蓄積する制御を行う。また、蓄積する際に、必要に応じて暗号化処理を行う。
【００２０】
再生制御部１１３は、ユーザから再生指示を受けた番組コンテンツを蓄積部１１２から読み出し、分離部１０２へ出力する。また、出力する際に、必要に応じて暗号を解除する処理を行う。
【００２１】
図２は、配信頻度に基づいて番組コンテンツを選択してダウンロードする処理について説明するためのフロー図である。まず、ステップＳ２０１で、スケジュール取得部１０８は、デジタル放送信号を利用して配信される予定の各番組コンテンツの配信スケジュール情報を取得する。放送波（放送信号）を利用した放送ダウンロードサービスでは、配信側が同じ番組コンテンツをある期間内に繰り返して配信するような運用形態が想定される。スケジュール取得部１０８が取得する配信スケジュール情報は、受信装置側が各番組コンテンツをいつダウンロードすることができるかを示す日時情報を含む。ここで、人気の高い番組コンテンツほど、より高い頻度で繰り返し配信される運用形態を想定する。つまり、番組コンテンツ毎に、ダウンロードすることができる期間や回数が異なることが想定される。
【００２２】
ステップＳ２０２で、配信頻度算出部１０９は、スケジュール取得部１０８により取得された配信スケジュール情報を用いて、各番組コンテンツが所定の単位期間内に繰り返し配信される頻度（配信頻度）を算出する。
【００２３】
ステップＳ２０３で、番組選択部１１０は、各番組コンテンツの配信頻度が予め設定された所定値Ｘ以上であるか否かを判別する。そして、配信頻度が所定値Ｘ以上である番組コンテンツは、ダウンロードすべき番組コンテンツであると判定し、配信頻度が所定値Ｘ以上でない番組コンテンツは、ダウンロードすべき番組コンテンツではないと判定する。
【００２４】
ステップＳ２０４で、番組選択部１１０は、配信予定の番組コンテンツのうちダウンロードすべきであると判定された番組コンテンツを選択し、ダウンロード対象の番組コンテンツの配信スケジュール情報を収集する。ステップＳ２０５で、蓄積制御部１１１は、収集された配信スケジュール情報に基づいて、ダウンロード対象の番組コンテンツを、放送信号を介してダウンロードして蓄積部１１２へ蓄積する制御を行う。蓄積制御部１１１は、各番組コンテンツの配信予定日時のうち最も早い配信日時にダウンロードすることができるよう、チューナ部１０１および分離部１０２を起動させる。なお、チューナ部１０１が他の動作（放送視聴や録画予約等）で使用されている場合は、他の配信日時にダウンロードする制御を行う。以上のようにして、人気の高い番組コンテンツなどの、配信頻度が高い番組コンテンツのみが自動的にダウンロードされ、蓄積部１１２に蓄積される。なお、上記ステップＳ２０１〜Ｓ２０４の処理は、定期的に予め設定された時刻（例えば毎日午前０時）に実行される。
【００２５】
図３（ａ）は、番組コンテンツＡ〜Ｅの配信スケジュールおよびダウンロード実行例を示す図、図３（ｂ）は、番組コンテンツＡ〜Ｅのダウンロード待ち時間について説明するための図である。
【００２６】
６月１日０時の時点で、配信頻度算出部１０９により番組コンテンツＡ〜Ｅの配信頻度が算出される。ここで、番組選択部１１０がダウンロードすべきか否かを判定するために用いる配信頻度の基準値Ｘを６回／４日（１．５回／日）とする。番組選択部１１０は、４日間で６回（１．５回／日）以上の配信頻度を有する番組コンテンツＡ，Ｂを、ダウンロードすべき番組コンテンツとして選択する。この場合、蓄積制御部１１１は、番組コンテンツＡの最初の配信日時である６月１日４時に、該番組コンテンツＡを自動的にダウンロードする処理を実行する。また、番組コンテンツＢの最初の配信日時である６月１日８時に、該番組コンテンツＢを自動的にダウンロードする処理を実行する。
【００２７】
次に、ユーザが６月１日２０時に、放送波（放送信号）を用いて配信される番組コンテンツの視聴を要求する操作を行ったものとする。本実施例では、この時点において既に番組コンテンツＡ，Ｂはダウンロードが実行され、蓄積部１１２に蓄積されているため、即座に再生して視聴することが可能である。なお、配信頻度に基づいた自動ダウンロードを実行しなかった場合は、番組コンテンツＡが視聴可能となるのは、次回の配信日時である６月２日４時であり、ダウンロード待ち時間は８時間となる。また、番組コンテンツＢが視聴可能となるのは、次回の配信日時である６月２日０時であり、ダウンロード待ち時間は４時間となる。
【００２８】
以上のように、配信頻度に基づいた自動ダウンロードを実行した場合は、ユーザが視聴する可能性の高い人気番組などの、高いオンデマンド性が求められる番組コンテンツのみが自動的にダウンロードされる。したがって、ユーザは、高いオンデマンド性が求められる番組コンテンツ（配信頻度が高い番組コンテンツ）を、なるべく少ないダウンロード待ち時間で視聴することが可能になる。また、配信頻度が高い番組コンテンツのみをダウンロードするため、配信される全ての番組コンテンツをダウンロードする場合に比べ、蓄積部の蓄積容量を圧迫しなくてすむ。
【００２９】
なお、本実施例においては、配信頻度のみに基づいてダウンロードすべき番組コンテンツを判定する例を挙げたが、配信頻度が高くかつユーザ嗜好度の高い番組コンテンツを、ダウンロードすべき番組コンテンツを判定するようにしてもよい。つまり、操作履歴や視聴履歴などに基づいてユーザ嗜好度を解析し、ユーザ嗜好度が所定レベルよりも高く、かつ配信頻度が所定値以上の番組コンテンツを、ダウンロードすべき番組コンテンツを判定するようにしてもよい。
【００３０】
また、図２のステップＳ２０３で用いた配信頻度の所定値Ｘは、ユーザが任意に設定変更できる値であってもよいし、蓄積部１１２の空き容量に応じて動的に変更される値であってもよい。また、配信される全て番組コンテンツの配信頻度の平均や分散から適当な値を決定してもよい。
【００３１】
また、図３に示した例では、配信頻度算出部１０９は向こう４日間で配信される回数を配信頻度として算出する場合を挙げたが、これに限定されるものではない。例えば、直近の１日間だけの期間に限定して配信される回数を配信頻度として算出してもよいし、翌日の２４時間で配信される回数を配信頻度として算出してもよい。直近の１日間だけの期間に限定して配信される回数を配信頻度として算出する場合は、即時に視聴したいニュース番組などが自動的にダウンロードされることになる。
【００３２】
（実施の形態２）
図４は、本発明の実施の形態２に係る放送受信装置２００の構成を示すブロック図である。図４の放送受信装置２００と図１の放送受信装置１００とを比較して異なる点は、モード設定部１１５が追加されている点である。図４において、図１と同一の構成ついては同一の符号を付し、その詳細な説明は繰り返さない。
【００３３】
モード設定部１１５は、ユーザの指示にしたがって放送受信装置２００の蓄積モードを設定する。ここでは、人気の高い番組コンテンツほど、より高い頻度で繰り返し配信される運用形態を想定している。放送受信装置２００は、配信頻度の高い番組コンテンツを優先してダウンロードする人気番組蓄積モード（第１モード）と、配信頻度の低い番組コンテンツを優先してダウンロードする待ち時間低減蓄積モード（第２モード）を有する。ユーザは、リモコンを操作して蓄積モードの設定画面を表示部に表示させ、人気番組蓄積モードと時間低減蓄積モードのうち自分の好みに応じていずれか一方を任意に選択して設定することが可能である。ユーザに選択された蓄積モード情報は、ＵＩ制御部１０７からモード設定部１１５に与えられる。また、モード設定部１１５で設定された蓄積モード情報は、番組選択部１１０に与えられる。
【００３４】
図５は、実施の形態２におけるダウンロード処理について説明するためのフロー図である。図５のステップＳ３０１，Ｓ３０２は、図２のステップＳ２０１，Ｓ２０２と同じである。
【００３５】
ステップＳ３０３で、番組選択部１１０は、モード設定部１１５から蓄積モード情報を取得し、設定されている蓄積モードが人気番組蓄積モードであるか否かを判別する。ここで、人気番組蓄積モードに設定されていると判別された場合は、ステップＳ３０４に進む。ステップＳ３０４〜Ｓ３０６は、図２のステップＳ２０３〜Ｓ２０５と同じであるため、ここでは詳細な説明は繰り返さない。一方、人気番組蓄積モードに設定されていないと判別された場合、すなわち、待ち時間低減蓄積モードに設定されていると判別された場合は、ステップＳ３０３からステップＳ３０７に進む。
【００３６】
ステップＳ３０７で、番組選択部１１０は、配信予定の各番組コンテンツの配信頻度が予め設定された所定値Ｙ以下であるか否かを判別する。そして、配信頻度が所定値Ｙ以下である番組コンテンツは、ダウンロードすべき番組コンテンツであると判定し、配信頻度が所定値Ｙ以下でない番組コンテンツは、ダウンロードすべき番組コンテンツではないと判定する。ダウンロードすべきであると判定された番組コンテンツは、ステップＳ３０５，Ｓ３０６によってダウンロードされて蓄積部１１２へ蓄積される。
【００３７】
図６（ａ）は、番組コンテンツＡ〜Ｅの配信スケジュール、および待ち時間低減蓄積モードでのダウンロード実行例を示す図である。図６（ｂ）は、待ち時間低減蓄積モードでの番組コンテンツＡ〜Ｅのダウンロード待ち時間について説明するための図である。
【００３８】
６月１日０時の時点で、配信頻度算出部１０９により番組コンテンツＡ〜Ｅの配信頻度が算出される。ここで、番組選択部１１０がダウンロードすべきか否かを判定するために用いる配信頻度の基準値Ｙを２回／４日（０．５回／日）とする。番組選択部１１０は、４日間で２回（０．５回／日）以下の配信頻度を有する番組コンテンツＤ，Ｅを、ダウンロードすべき番組コンテンツとして選択する。この場合、蓄積制御部１１１は、番組コンテンツＥの最初の配信日時である６月１日０時に、該番組コンテンツＢを自動的にダウンロードする処理を実行する。また、番組コンテンツＤの最初の配信日時である６月１日２０時に、該番組コンテンツＡを自動的にダウンロードする処理を実行する。
【００３９】
次に、ユーザが６月２日０時に、放送波（放送信号）を用いて配信される番組コンテンツの視聴を要求する操作を行ったものとする。本実施例では、この時点において既に番組コンテンツＤ，Ｅはダウンロードが実行され、蓄積部１１２に蓄積されているため、即座に再生して視聴することが可能である。なお、配信頻度に基づいた自動ダウンロードを実行しなかった場合は、番組コンテンツＤが視聴可能となるのは、次回の配信日時である６月３日２０時であり、ダウンロード待ち時間は４４時間となる。また、番組コンテンツＥが視聴可能となるのは、次回の配信日時である６月５日０時であり、ダウンロード待ち時間は７２時間となる。このように、配信頻度が低い番組コンテンツは、長いダウンロード待ち時間が必要となる場合があり、オンデマンド性が低くなるという問題が生じる。
【００４０】
そこで、本実施例では、待ち時間低減蓄積モードを設け、配信頻度が低い番組コンテンツを、なるべく少ないダウンロード待ち時間で視聴することができる構成とした。また、人気番組蓄積モードと待ち時間低減蓄積モードとをユーザが任意に選択して設定できるようにすることで、人気番組をすぐに見たいユーザと、ダウンロード待ち時間をなるべく少なくしたいユーザの両方の要望を満たすことができる。
【００４１】
なお、本実施例においては、配信頻度のみに基づいてダウンロードすべき番組コンテンツを判定する例を挙げたが、配信頻度が所定値以下でかつユーザ嗜好度の高い番組コンテンツを、ダウンロードすべき番組コンテンツを判定するようにしてもよい。
【００４２】
また、図５のステップＳ３０７で用いた配信頻度の所定値Ｙは、ユーザが任意に設定変更できる値であってもよいし、蓄積部１１２の空き容量に応じて動的に変更される値であってもよい。また、配信される全て番組コンテンツの配信頻度の平均や分散から適当な値を決定してもよい。
【符号の説明】
【００４３】
１００  放送受信装置
１０１  チューナ部
１０２  分離部
１０３  デコード部
１０４  音声出力部
１０５  合成部
１０６  映像出力部
１０７  ＵＩ制御部
１０８  スケジュール取得部
１０９  配信頻度算出部
１１０  番組選択部
１１１  蓄積制御部
１１２  蓄積部
１１３  再生制御部
１１４  リモコン受信部
【図１】
2011010110.tif 000003
【図２】
2011010110.tif 000004
【図３】
2011010110.tif 000005
【図４】
2011010110.tif 000006
【図５】
2011010110.tif 000007
【図６】
2011010110.tif 000008